(57)【要約】      （修正有）【課題】家庭等において手軽に取り扱うことができ、しかも強力な噴出力を得ることができるスプレー装置を提供する。【解決手段】ペットボトル等の液体容器２における開口部に装着して使用するもので、液体容器２内の洗浄水等の液体を噴出する噴出口部７と、噴出口部７に装着されるブラシ付きノズル３０と、液体容器２の開口部に気密状態で装着される容器装着部８と、液体容器２内の液体を噴出口部７へと流す液体流路１５，１６と、液体流路１５を開閉する開閉弁３８を含んでなる開閉操作機構とを設ける。さらに、液体容器２内に空気を手動操作にて圧入する逆流弁６７付きの空気圧入機構５２とを備える。【選択図】図２
0003174210.tif 000002
【実用新案登録請求の範囲】
【請求項１】
液体を噴出する噴出口部と、
前記噴出口部に装着されるブラシ付きノズルと、
液体容器の開口部に気密状態で装着される容器装着部と、
液体容器内の液体を前記噴出口部へと流す液体流路と、
前記液体流路を開閉操作する開閉操作機構と、
液体容器内に空気を手動操作にて圧入する逆流防止機能付きの空気圧入機構と、
を備えることを特徴とするスプレー装置。
【請求項２】
前記空気圧入機構は、人の手で把持可能で空気が出入り可能な円筒状胴部を備え、この円筒状胴部が当該スプレー装置のグリップ部を構成するものとされる請求項１に記載のスプレー装置。
【考案の詳細な説明】
【技術分野】
【０００１】
本考案は、水等の液体を洗浄等の目的で噴出するスプレー装置に関するものである。
【背景技術】
【０００２】
従来、例えばペットボトル等の液体容器の開口部にスプレーガンを取り付け、その引き金を引くことによって液体容器内の水等の液体を噴出するように構成されるスプレー装置が例えば特許文献１にて知られている。
【先行技術文献】
【特許文献】
【０００３】
【特許文献１】特開２００３−３４０３２４号公報
【０００４】
この特許文献１に係るスプレー装置は、ピストル式の引き金を引くと、内蔵した簡単な構造のポンプが作動して液体容器内から吸い上げた液体がノズル側へ圧送され、ノズルから噴出するようになっている。
【０００５】
しかしながら、上記の特許文献１に係るスプレー装置では、引き金を指で操作する力で内蔵する小型のポンプを作動させて噴出力を得る構成であるため、噴出力が弱く、例えば窓サッシの掃除等で、狭い隙間に強力に洗浄液を噴出しなければならないような用途には適さないという問題点がある。
【０００６】
なお、別途に設けた電動式エアコンプレッサーからの圧縮空気で液体を噴出させる構成のものも考えられるが、装置が大掛かりであり、家庭的な用途には適していない。
【考案の概要】
【考案が解決しようとする課題】
【０００７】
本考案は、前述のような問題点に鑑みてなされたもので、家庭等において手軽に取り扱うことができ、しかも強力な噴出力を得ることができるスプレー装置を提供することを目的とするものである。
【課題を解決するための手段】
【０００８】
前記目的を達成するために、本考案によるスプレー装置は、
液体を噴出する噴出口部と、
前記噴出口部に装着されるブラシ付きノズルと、
液体容器の開口部に気密状態で装着される容器装着部と、
液体容器内の液体を前記噴出口部へと流す液体流路と、
前記液体流路を開閉操作する開閉操作機構と、
液体容器内に空気を手動操作にて圧入する逆流防止機能付きの空気圧入機構と、
を備えることを特徴とするものである（第１考案）。
【０００９】
本考案において、前記空気圧入機構は、人の手で把持可能で空気が出入り可能な円筒状胴部を備え、この円筒状胴部が当該スプレー装置のグリップ部を構成するものとされるのが好ましい（第２考案）。
【考案の効果】
【００１０】
本考案のスプレー装置においては、空気圧入機構の手動操作によって液体容器内に空気が圧入される。これにより、液体容器内が高圧化され、液体容器内の液体が液体流路へ圧送される。そして、液体流路が開閉操作機構によって開かれると、噴出口部からブラシ付きノズルを介して液体が噴出される。なお、開閉操作機構によって液体流路が閉じられると、ブラシ付きノズルからの液体の噴出が止められる。
本考案のスプレー装置によれば、空気圧入機構の手動操作によって液体容器内が加圧され、高圧化された液体容器内の液体が噴出口からブラシ付きノズルを介して噴出されるので、強力な噴出力を得ることができる。しかも、液体容器内の加圧は、空気圧入機構の手動操作によって行われるので、別途に電動式エアコンプレッサー等の装置が不要であり、家庭等において手軽に取り扱うことができる。
【図面の簡単な説明】
【００１１】
【図１】本考案の一実施形態に係るスプレー装置の使用状態での側面図
【図２】本実施形態のスプレー装置の縦断面構造説明図
【図３】本実施形態のスプレー装置の分解図（ａ）、分流器の正面図（ｂ）ピストンの正面図（ｃ）および弁座体の正面図（ｄ）
【図４】安全弁の作動説明図
【図５】空気圧入動作説明図（ａ）および液体噴出動作説明図（ｂ）
【図６】アダプタの使用説明図
【考案を実施するための形態】
【００１２】
次に、本考案によるスプレー装置の具体的な実施の形態について、図面を参照しつつ説明する。
【００１３】
＜スプレー装置の概略説明＞
図１に示されるように、本実施形態のスプレー装置１は、例えばペットボトル等の液体容器２における開口部３に設けられた雄螺子４に螺着してその液体容器２内の洗浄水等の液体を洗浄等の目的で噴出するものであり、スプレー装置本体５と、グリップ部６とを備え、その殆どの部分が軽くて丈夫な樹脂製材料によって構成されている。
【００１４】
＜スプレー装置本体の説明＞
図３（ａ）に示されるように、スプレー装置本体５の前部には、液体を噴出する噴出口部７が形成され、この噴出口部７から前方に向かって液体を噴出することができるようになっている。
スプレー装置本体５の下部には、容器装着部８が形成されている。この容器装着部８は、液体容器２の開口部３に形成される雄螺子４に螺合可能な雌螺子９を有し、内蔵されるＯリング１０によって液体容器２の開口部３に気密状態で締結されるようになっている。
スプレー装置本体５の上部には、前後方向に延設される操作レバー１１を収容可能な操作レバー取付部１２が形成されている。この操作レバー取付部１２は、操作レバー１１の前端部に設けられた枢支軸１３が嵌め込まれる軸受孔１４を有し、この軸受孔１４に嵌め込まれた枢支軸１３を中心として操作レバー１１を上下方向に揺動可能に支持することができるようになっている。
スプレー装置本体５の内部には、その前部側に第１液体通路１５および第２液体通路１６がそれぞれ形成されるとともに、その後部側に第１空気通路１７、第２空気通路１８、第３空気通路１９および第４空気通路２０がそれぞれ形成されている。
【００１５】
＜第１，２液体通路の説明＞
第１液体通路１５は、比較的大径で上下方向に延びる円筒形状の第１液体シリンダ部２１と、この第１液体シリンダ部２１の上側に一体的に連設され、その第１液体シリンダ部２１よりも小径で上下方向に延びる円筒形状の第２液体シリンダ部２２と、この第２液体シリンダ部２２の上側を塞ぐように設けられる天板部２３とによって区画形成されている。
第２液体通路１６は、第２液体シリンダ部２２と噴出口部７とを連通状態で繋ぐ通路であり、第２液体シリンダ部２２から噴出口部７に向かって進むにつれてその口径が広がるラッパ形状に形成されている。
【００１６】
＜第１〜第４空気通路の説明＞
第１空気通路１７は、スプレー装置本体５の後端位置から前方に向かって真っ直ぐに延びる通路である。
第２空気通路１８は、第１空気通路１７から前方に向かって先細り形状で延びる通路である。
第３空気通路１９は、第２空気通路１８と連通状態で接続され、比較的小径で上下方向に延びる円筒形状の通路である。
第４空気通路２０は、第３空気シリンダ１９部の下側に一体的に連設され、前記容器装着部８も兼ねる通路である。
【００１７】
＜分流器の説明＞
図２に示されるように、噴出口部７の内周側には、Ｏリング２４によって気密状態に分流器２５が圧入・装着されている。
分流器２５は、図３（ａ）に示されるように、噴出口部７の内周側に圧入状態で嵌合される胴部２６と、この胴部２６の前端側を塞ぐように設けられる前面板部２７とにより構成されている。
前面板部２７には、図３（ｂ）に示されるように、径方向に所定間隔を存して一対の分流孔２８，２８が穿設され、これら分流孔２８，２８は、前面板部２７の前側面中央に設けられた窪み部２９で接続されている。
【００１８】
＜ブラシ付きノズルの説明＞
図２に示されるように、噴出口部７の外周側には、ブラシ付きノズル３０が装着されている。このブラシ付きノズル３０は、ノズル３１とブラシ３２とから構成されている。
ノズル３１は、図３（ａ）に示されるように、噴出口部７の外周側に設けられた雄螺子３３に螺合する雌螺子３４を有する胴部３５と、この胴部３５の前端側を塞ぐように設けられる前面板部３６とにより構成されている。
前面板部３６の中心部には、分流器２５の窪み部２９に対応させてノズル孔３７が設けられている。また、前面板部３６の外周部には、密集状態で植設される所定本数のブラシ３２を一単位のブラシユニットとして、複数のブラシユニットがノズル孔３７を中心として周方向に所定ピッチで配置されている。
【００１９】
＜分流器とブラシ付きノズルの関係の説明＞
ブラシ付きノズル３０は、ノズル３１の前面板部３６の後面が分流器２５の前面板部２７の前面に突き当たるまで噴出口部７の外周にねじ込まれる。この状態において、噴出口部７から液体が噴出されると、液体は、一旦、分流器２５における一対の分流孔２８，２８によって分流された後、窪み部２９で衝撃的に合流され、その後、ノズル３１のノズル孔３７を通して霧状に噴出される。
【００２０】
＜開閉弁の説明＞
図２に示されるように、第１液体通路１５には、開閉弁３８が設けられている。この開閉弁３８は、図３（ａ）に示されるように、第２液体シリンダ部２２の内部にその第２液体シリンダ部２２の内周面に対し所定の隙間を存して挿入可能な円柱形状のスプール部３９を有している。
【００２１】
スプール部３９の上端側には、押し棒部４０がスプール部３９と軸線を一致させて一体的に連設されている。この押し棒部４０は、天板部２３に設けられた挿通孔４１を通して操作レバー１１の中間部下面に当接される（図２参照）。
スプール部３９の下端側には、下方に向かって順にフランジ部４２およびばね取付棒部４３がそれぞれスプール部３９と軸線を一致させて一体的に連設されている。ここで、フランジ部４２は、第１液体シリンダ部２１の内部にその第１液体シリンダ部２１の内周面に対し所定の隙間を存して挿入可能で、第２液体シリンダ部２２の内径よりも大きな外径とされ、ばね取付棒部４３は、後述する圧縮コイルばね４６の内周に嵌合可能な外径とされている。
【００２２】
押し棒部４０には、第２液体シリンダ部２２の内周面と天板部２３の下面との交わりの角部に密着されるＯリング４４が装着されている。
スプール部３９には、第１液体シリンダ部２１と第２液体シリンダ部２２との境界部分における段差部に密着されるＯリング４５が装着されている。
ばね取付棒部４３には、開閉弁３８を上方に向けて押し勝手に付勢する圧縮コイルばね４６が装着されている。
【００２３】
＜ばね押え兼パイプ取付具の説明＞
第１液体シリンダ部２１の下部には、ばね押え兼パイプ取付具４７が装着されている。このばね押え兼パイプ取付具４７は、同軸線上で一体的に連設されるばねホルダ部４８、ストッパ部４９およびパイプホルダ部５０をそれぞれ有している。
ばねホルダ部４８は、第１液体シリンダ部２１の内周に圧入状態で嵌め込まれ、圧縮コイルばね４６を下側から上方に向かって押え勝手で保持する役目をする。
ストッパ部４９は、第１液体シリンダ部２１の下端に当接されて、第１液体シリンダ部２１に対するばねホルダ部４８の挿入位置を規制する役目をする。
パイプホルダ部５０は、液体容器２の底部から開口部３に亘って挿入される可撓性のパイプ５１（図２参照）を保持する役目をする。
【００２４】
＜開閉操作機構の説明＞
なお、本実施形態においては、操作レバー１１、開閉弁３８、Ｏリング４４，４５、圧縮コイルばね４６およびばね押え兼パイプ取付具４７により、第１液体流路１５を開閉する開閉操作機構が構成されている。
【００２５】
＜空気圧入機構の構造説明＞
図２に示されるように、スプレー装置本体５の後端側には、逆流防止機能付きの空気圧入機構５２が設けられている。この空気圧入機構５２は、図３（ａ）に示されるように、主として、円筒状胴部５３、ピストン５４、ピストンロッド５５、把手５６および蓋体５７によって構成されている。
円筒状胴部５３は、第１空気通路１７と連続するように、スプレー装置本体５の後端から後方に向けて真っ直ぐに延設され、この円筒状胴部５３内にはピストン５４が往復可能に組み込まれている。
ピストン５４の後端部には、ピストン５４と軸線を一致させてピストンロッド５５の一端部が固定され、このピストンロッド５５の他端部には、把手５６が取り付けられている。この把手５６の押し操作によってピストン５４が円筒状胴部５３内で前進される一方、この把手５６の引き操作によってピストン５４が円筒状胴部５３内で後進される。
蓋体５７は、ピストンロッド５５が所定の隙間を持って挿通される挿通孔５８を有し、この挿通孔５８にピストンロッド５５が挿通された状態でピストン５４と把手５６との間に配され、円筒状胴部５３の後端部に圧入されることによってピストン５４の抜け止めストッパとして機能する。
【００２６】
ピストン５４は、ピストン本体６０を備えている。このピストン本体６０は、円筒状胴部５３の軸線に一致させて前側から後側に向けて順に配される前側大径部６１、中間小径部６２および後側大径部６３が一体的に連設されて構成されている。
前側大径部６１および後側大径部６３は、それぞれ円筒状胴部５３の内周面に対し所定の隙間を存して挿入可能な外径寸法に設定されている。中間小径部６２は、前側大径部６１および後側大径部６３のいずれのものよりも小さい外径寸法に設定されている。
中間小径部６２には、その中間小径部６２の外周面に対し所定の隙間を存する一方で、円筒状胴部５３の内周面に密着可能なＯリング６４が装着されている。
図３（ｃ）に示されるように、前側大径部６１の外周部には、径方向に対向配置で一対の切欠き部６５，６５が設けられている。各切欠き部６５は、中間小径部６２の外周面とＯリング６４との間の隙間６６が、円筒状胴部５３内における前側大径部６１の前側の空間と連通するように、前側大径部６１の中心部に向かって円弧状に切り欠かれた形状とされている。
【００２７】
さらに、図２に示されるように、空気圧入機構５２は、第１空気通路１７内に組み込まれる逆止弁６７を備えている。この逆止弁６７は、図３（ａ）に示されるように、弁座体６８と弁体６９とによって構成され、液体容器２内から第４空気通路２０、第３空気通路１９、第２空気通路１８および第１空気通路１７を経て円筒状胴部５３内へと逆流しようとする高圧の空気を止める役目をする。
弁座体６８は、第１空気通路１７内に圧入状態で嵌め込まれる円筒状の胴部７０と、この胴部７０の前端側を塞ぐように設けられる弁座部７１とにより構成されている。弁座部７１には、図３（ｄ）に示されるように、その中心部に挿通孔７２が設けられるとともに、この挿通孔７２の周りに等間隔で４つの通気孔７３が設けられている。
弁体６９は、弁座体６８に設けられる４つの通気孔７３を塞ぐことが可能な大きさの円板状の弁７４に、弁座体６８に設けられる挿通孔７２に抜き差し可能な弁棒７５が結合されて構成されている。
こうして、弁座体６８の挿通孔７２に弁体６９の弁棒７５を挿通させるようにして弁座体６８と弁体６９とを組み合わせることにより、弁座体６８に対する弁体６９の直線往復運動が挿通孔７２に通された弁棒７５によって案内され、弁座部７１に対する弁７４の開閉動作がスムーズに行われるようになっている。
【００２８】
＜空気圧入機構による空気圧送・吸気工程の説明＞
把手５６の押し操作の際には、Ｏリング６４が後側大径部６３に押し当てられた状態でピストン本体６０が円筒状胴部５３内で前進される。このとき、円筒状胴部５３の内周面とピストン本体６０との間の隙間は、後側大径部６３に押し当てられたＯリング６４によって完全に塞がれる。したがって、ピストン５４の前進により、ピストン５４の前側の空気を前方に圧送する空気圧送工程が実施される。この空気圧送工程の際、ピストン５４の前進によって圧送される空気によって弁体６９が前方に押し出される。これにより、図５（ａ）に示されるように、弁座部７１に対して弁７４が開かれ、ピストン５４の前進によって圧送される空気は、弁座部７１の４つの通気孔７３を通って第１空気通路１７から第２空気通路１８、第３空気通路１９および第４空気通路２０を経て液体容器２内に流れる。
【００２９】
把手５６の押し操作を止めると、液体容器２内から第４空気通路２０、第３空気通路１９、第２空気通路１８および第１空気通路１７を経て逆流しようとする高圧の空気によって弁７４が弁座部７１に押し付けられる（図５（ｂ）参照）。これにより、弁座部７１に対して弁７４が閉じられ、液体容器２内からの高圧空気の円筒状胴部５３内への逆流が阻止される。なお、把手５６の引き操作のときにも同様の作用により、弁座部７１に対して弁７４が閉じられて、液体容器２内からの高圧空気の円筒状胴部５３への逆流が阻止されるのは言うまでもない。
【００３０】
把手５６の引き操作の際には、Ｏリング６４が前側大径部６１に押し当てられた状態でピストン本体６０が円筒状胴部５３内で後進される。このとき、円筒状胴部５３内におけるピストン５４の前側の空間と後側の空間とは、前側大径部６１に設けられた一対の切欠き部６５，６５（図３（ｃ）参照）を介して連通される。したがって、ピストン５４の後進により、ピストン５４の後側と蓋体５７との間の空気をそれら切欠き部６５，６５を通してピストン５４の前側に送り込む空気吸気工程が実施される。
【００３１】
＜安全弁の説明＞
図２に示されるように、操作レバー取付部１２から第３空気通路１９および第４空気通路２０に亘る部分には、安全弁７６が組み込まれている。
安全弁７６は、図３（ａ）に示されるように、操作レバー１１に設けられた挿通孔７７、第３空気通路１９の天井面を構成する天井壁部７８に設けられた挿通孔７９を通して第３空気通路１９および第４空気通路２０に至る部分に挿入される弁体８０を備えている。
弁体８０は、手指で摘むことが可能な鍔部８１から鉛直軸線に沿って下側に順に配される大径軸部８２と小径軸部８３とが連設されて構成されている。
第３空気通路１９の天井壁部７８には、大径軸部８２と小径軸部８３との境界に設けられた段付き部で挟まれるようにＯリング８４が組み込まれている。このＯリング８４の内周と小径軸部８３との間には若干の隙間が設けられている。
Ｏリング８４を通して第３空気通路１９の天井壁部７８から第３空気通路１９および第４空気通路２０内に突入された小径軸部８３には、圧縮コイルばね８５が組み付けられるとともに、この圧縮コイルばね８５を下側から押えるようにしてばね押えキャップ８６が圧入状態で外嵌されている。
【００３２】
液体容器２内の高圧空気が所定圧力未満のときには、圧縮コイルばね８５の弾性反発力によって弁体８０における大径軸部８２と小径軸部８３との段付き部がＯリング８４に密着状態で押え付けられ、安全弁７６が閉じた状態にある。
一方、液体容器２内の高圧空気が所定圧力以上のときには、ばね押えキャップ８６の下面に作用する空気圧力（図４中記号Ａで示される白抜き矢印）によって圧縮コイルばね８５の弾性反発力に抗して弁体８０が押し上げられ、安全弁７６が開いた状態になる。
安全弁７６が開かれると、液体容器２内の高圧空気は、図４中記号Ｂ矢印で示されるように、第４空気通路２０から第３空気通路１９、Ｏリング８４と小径軸部８３との間の隙間を通って外部に放出される。
こうして、液体容器２内の空気圧が所定圧力以上になるのを確実に防止することができる。
【００３３】
＜グリップ部の説明＞
図３（ａ）に示されるように、空気圧入機構５２における円筒状胴部５３は人の手で把持するのに適した大きさに設定されており、この円筒状胴部５３の外側に、滑り止め突起付きのゴム製のグリップカバー８７を装着することにより、スプレー装置１のグリップ部６が構成される。
こうして、空気圧入機構５２においてエアシリンダとして用いられる円筒状胴部５３を、スプレー装置１のグリップ部６の構成部品としても兼ねる構成を採用することにより、装置の簡素化を図ることができる。
【００３４】
＜作用効果の説明＞
以上に述べたように構成されるスプレー装置１においては、図１および図２に示されるように、ばね押え兼パイプ取付具４７のパイプホルダ部５０に装着されたパイプ５１を、洗浄水の入った液体容器２の底部に沈みこませるようにして、スプレー装置本体５の容器装着部８を液体容器２の開口部３に合わせ、この開口部３の雄螺子４に容器装着部８の雌螺子９を螺合させてねじ込むことにより、液体容器２に締着される。
【００３５】
次いで、空気圧入機構５２の手動操作、つまり把手５６の押し引き操作によって空気圧送工程と空気吸気工程とを繰り返すことにより、ピストン５４によって繰り返し押し出された空気が、図５（ａ）中記号Ｃ矢印で示されるように、第１空気通路１７から第２空気通路１８、第３空気通路１９および第４空気通路２０を経て液体容器２内に圧入される。これにより、液体容器２内が高圧化され、液体容器２内の洗浄水がパイプ５１およびばね押え兼パイプ取付具４７を介して第１液体通路１５の第１液体シリンダ部２１へと圧送される。
【００３６】
次いで、操作レバー１１を手指によって押し込み操作すると、操作レバー１１からの押込力（図５（ｂ）中記号Ｄで示される白抜き矢印）が開閉弁３８に作用して押し棒部４０を介してスプール部３９が圧縮コイルばね４６の弾性反発力に抗して押し下げられ、第１液体シリンダ部２１と第２液体シリンダ部２２との段差部に密着されていたＯリング４５がスプール部３９と共に押し下げられ、これら段差部とＯリング４５との間に隙間が生じて第１液体通路１５が開かれる。これにより、図５（ｂ）中記号Ｅ矢印で示されるように、液体容器２から第１液体シリンダ部２１へと圧送された洗浄水は、第１液体シリンダ部２１の内周面と開閉弁３８のフランジ部４２との間の隙間、および第２液体シリンダ部２２の内周面と開閉弁３８のスプール部３９との間の隙間を通って第２液体通路１６へと流れる。この第２液体通路１６に流れ込んだ洗浄水は、図２中記号Ｑ矢印で示されるように、噴出口部７から分流器２５に流れ込み、この分流器２５における一対の分流孔２８，２８（図３（ｂ）参照）によって一旦２つの流れに分流された後、窪み部２９で衝撃的に合流され、その後、ブラシ付きノズル３０のノズル孔３７から強い勢いで噴出される。
【００３７】
手指による操作レバー１１の押し込み操作を止めると、圧縮コイルばね４６の弾性反発力によってスプール部３９が元の位置まで押し上げられ、スプール部３９と共にＯリング４５が押し上げられて第１液体シリンダ部２１と第２液体シリンダ部２２との段差部に密着されることで第１液体通路１５が閉じられる。これにより、第１液体通路１５から第２液体通路１６に向かう洗浄水の流れが止められて、噴出口部７、分流器２５を経てブラシ付きノズル３０から洗浄水が噴出されるのが止められる。
【００３８】
本実施形態のスプレー装置１によれば、空気圧入機構５２の手動操作によって液体容器２内が加圧され、高圧化された液体容器２内の洗浄水が噴出口７からブラシ付きノズル３０を介して噴出されるので、強力な噴出力を得ることができる。しかも、液体容器２内の加圧は、空気圧入機構５２の手動操作によって行われるので、別途に電動式エアコンプレッサー等の装置が不要であり、家庭等において手軽に取り扱うことができる。
噴出口部７には、ブラシ付きノズル３０が装着されているので、噴出口から強力に噴出された洗浄水をノズル孔３７から霧状に噴射しつつブラシ３２によって汚れをより効率良く落すことができる。
【００３９】
以上、本考案のスプレー装置について、一実施形態に基づいて説明したが、本考案は上記実施形態に記載した構成に限定されるものではなく、その趣旨を逸脱しない範囲において適宜その構成を変更することができるものである。
【００４０】
例えば、図６に示されるように、上記の実施形態のスプレー装置１が装着された液体容器２とは開口部３の口径の大きさが異なる、あるいは開口部３の雄螺子４の螺子ピッチが異なる液体容器２´に適用させるために、アダプタ９０を用いるようにしてもよい。
このアダプタ９０は、スプレー装置本体５と液体容器２´との間に配される円筒状のアダプタ本体９１を備え、このアダプタ本体９１の上部に、スプレー装置本体５における容器装着部８の雌螺子９（図３（ａ）参照）に螺合する雄螺子９２を設ける一方、このアダプタ本体９１の下部に、液体容器２´の雄螺子４´に螺合可能な雌螺子９３を設けてなるものである。
【００４１】
また、上記の実施形態においては、スプレー装置本体５の後側に真っ直ぐに延びるようにグリップ部６を設けるようにしたが、これに限定されるものではなく、例えばスプレー装置本体５の後側に斜め下方に向けてグリップ部６を延設するようにしてもよい。
【産業上の利用可能性】
【００４２】
本考案のスプレー装置は、家庭等において手軽に取り扱うことができ、しかも強力な噴出力を得ることができるという特性を有していることから、例えば窓サッシの掃除等で、狭い隙間に強力に洗浄液を噴出しなければならないような用途に好適に用いることができる。
【符号の説明】
【００４３】
１          スプレー装置
２          液体容器
３          開口部
６          グリップ部
７          噴出口部
８          容器装着部
１１        操作レバー（開閉操作機構）
１５        第１液体流路
１６        第２液体流路
３０        ブラシ付きノズル
３１        ノズル
３２        ブラシ
３７        ノズル孔
３８        開閉弁（開閉操作機構）
４４，４５  Ｏリング（開閉操作機構）
４６        圧縮コイルばね（開閉操作機構）
４７        ばね押え兼パイプ取付具（開閉操作機構）
５２        空気圧入機構
５３        円筒状胴部
６７        逆止弁
【図１】
0003174210.tif 000003
【図２】
0003174210.tif 000004
【図３】
0003174210.tif 000005
【図４】
0003174210.tif 000006
【図５】
0003174210.tif 000007
【図６】
0003174210.tif 000008